(57)【要約】      （修正有）【課題】アンダーバストのきつさ、緩さを双方向に調整できるリラックスブラジャー構造を提供する。【解決手段】ブラジャー１０の左、右両側部分に２つのカップ１１が設けられ、該２つのカップ１１の下縁に、２つのワイヤ１３が取り付けられる２つのワイヤループ１２が設けられ、該２つのカップ１１間に土台１４が接続され、該土台１４の外側に２つのサイドベルト１５が接続され、該土台１４と２つのサイドベルト１５との間に、２つのサイドボーン１６が取り付けられる２つのボーンループ１７が設けられ、該２つのカップ１１および２つのサイドベルト１５の上方に２つの肩紐１８が接続される。該土台１４は弾性生地が採用され、下層および上層を含む。該下層にゴム紐１９が設けられ、該上層のワイヤループ１２とボーンループ１７との間に非弾性テープ２０、２１が設けられる。該非弾性テープ２０、２１の一端に留め具２２が設けられ、もう一端に調整留め具２３が設けられる。【選択図】図１
0003211412.tif 000002
【実用新案登録請求の範囲】
【請求項１】
リラックスブラジャー構造であって、主に、ブラジャーの左、右両側部分に２つのカップが設けられ、該２つのカップの下縁に、２つのワイヤが取り付けられる２つのワイヤループが設けられ、該２つのカップ間に土台が接続され、該土台の外側に２つのサイドベルトが接続され、該土台と２つのサイドベルトとの間に、２つのサイドボーンおよび２つのボーンループが設けられ、該２つのカップおよび２つのサイドベルトの上方に２つの肩紐が接続される構造であって、
該土台は弾性生地が採用され、下層および上層を含み、該上層のワイヤループとボーンループとの間に非弾性テープがそれぞれ設けられ、該非弾性テープの一端に留め具が設けられ、該非弾性テープのもう一端に調整留め具が設けられ、実際の需要に従って、アンダーバストのきつさ、緩さを双方向に調整することができることを特徴とする構造。
【請求項２】
該土台の下層にゴム紐が設けられる、請求項１に記載のリラックスブラジャー構造。
【考案の詳細な説明】
【技術分野】
【０００１】
本考案のリラックスブラジャー構造は、主にアンダーバストのきつさ、緩さを双方向に調整することができるブラジャー技術に応用される。
【背景技術】
【０００２】
ブラジャーは女性が着用するとき乳房を保護し、さらに乳房の形状を整え、胸の形をより美しくする機能を有する。ただし、女性が装着する従来のブラジャーは、通常アンダーバストのきつさ、緩さを調整することができない。緩すぎると乳房の支えが少なくなり、乳房が垂れ下がり、変形しやすくなり、美しさに影響を及ぼす。きつすぎると着用者に圧迫感が生じる。ブラジャー着用時に、アンダーバストのきつさ、緩さを同時に考慮することができない２つの難題を解決するため、アンダーバストのきつさ、緩さを双方向に調整することができるブラジャーを提供することができる場合、多くの女性が喜んで購入および着用すると考える。
【考案の概要】
【考案が解決しようとする課題および課題を解決するための手段】
【０００３】
本考案者は、現在関連製品の製造、設計に従事しており、長年の実務経験および知識を積み重ね、従来用いられるブラジャーにすでに存在する問題および欠点に対して、積極的に革新および改良を行い、リラックスブラジャー構造を完成した。
【０００４】
考案が解決しようとする課題に使用した技術的手段、および背景技術と比較した効果は、次の通りである。ブラジャーの左、右両側部分に２つのカップが設けられ、該２つのカップの下縁に、２つのワイヤが取り付けられる２つのワイヤループが設けられる。該２つのカップ間に土台が接続され、該土台の外側に２つのサイドベルトが接続される。該土台と２つのサイドベルトとの間に、２つのサイドボーンが取り付けられる２つのボーンループが設けられ、該２つのカップおよび２つのサイドベルトの上方に２つの肩紐が接続される。さらに以下を特徴とする。該土台は弾性生地が採用され、下層および上層を含む。該下層にゴム紐が設けられ、該上層のワイヤループとボーンループとの間に、非弾性テープが設けられる。該非弾性テープの一端に留め具が設けられ、該非弾性テープのもう一端に調整留め具が設けられ、実際の需要に従って、アンダーバストのきつさ、緩さを双方向に調整することができる。緩めた後は、ワイヤの安定度に影響を及ぼさない他、胸を寄せる効果を上昇させることもでき、美しい胸の形が持続し、効果が増進する。これを主な目的の達成とする。
【図面の簡単な説明】
【０００５】
【図１】図１は、本考案の立体分解概要図である。
【図２】図２は、本考案の平面状態概要図である。
【図３】図３は、図２のＥ−Ｅ断面の概要図である。
【図４】図４は、本考案を内側にきつくするときの着用状態の概要図である。
【図５】図５は、図４のＧ−Ｇ断面の概要図である。
【図６】図６は、図５におけるＹ部の部分拡大概要図である。
【図７】図７は、本考案を外側に緩めるときの着用状態の概要図である。
【図８】図８は、図７のＴ−Ｔ断面の概要図である。
【図９】図９は、図８におけるＥ部の部分拡大概要図である。
【考案を実施するための形態】
【０００６】
当業者が本考案の構造の内容および達成可能な機能、効果を理解しやすいようにするため、具体的な実施例を列挙し、さらに図を組み合わせて、以下のように詳細に紹介、説明する。
【０００７】
リラックスブラジャー構造について、図１、図２を参照されたい。図１、図２は、本考案の下着の立体分解および平面状態概要図である。さらに図３は図２のＥ−Ｅ断面の概要図である。主に次の通りである。ブラジャー１０の左、右両側部分に２つのカップ１１が設けられ、該２つのカップ１１の下縁に、２つのワイヤ１３が取り付けられる２つのワイヤループ１２が設けられる。該２つのカップ１１間に土台１４が接続され、該土台１４の外側に２つのサイドベルト１５が接続される。該土台１４と２つのサイドベルト１５との間に、２つのサイドボーン１６が設けられ、該２つのサイドボーン１６は、２つのボーンループ１７により土台１４と２つのサイドベルト１５との間にミシンで固定される。該２つのカップ１１および２つのサイドベルト１５の上方に２つの肩紐１８が接続される。さらに以下を特徴とする。
【０００８】
該土台１４は弾性生地が採用され、下層および上層を含む。該下層にゴム紐１９が設けられ、該上層のワイヤループ１２とボーンループ１７との間に、それぞれ長、短２つの非弾性テープ２０、２１が設けられる。長い非弾性テープ２０は一端がワイヤループ１２にミシンで固定され、短い非弾性テープ２１に留め具２２が設けられる。短い非弾性テープ２１は半分に折った後、ボーンループ１７にミシンで固定される。該長い非弾性テープ２０のもう一端は、日の字形を呈する調整留め具２３に通し、該留め具２２に巻き付けてから、末端をミシンで一体に固定する。
【０００９】
本考案は、上記各要素の構造を組み合わせて形成され、リラックスブラジャー構造を提供する。実際の操作は以下の通りである。
【００１０】
図４を参照されたい。図４は、本考案を内側にきつくするときの着用状態の概要図である。さらに図５は、図４のＧ−Ｇ断面の概要図である。さらに図６は、図５におけるＹ部の部分拡大概要図である。着用者は実際の需要に従って、土台１４の左、右両側における２つの長い非弾性テープ２０の調整留め具２３により、アンダーバストを内側にきつくすることができる。すなわち胸を寄せる効果を上昇させ、美しい胸の形を有する目的を達成することができる。
【００１１】
図７を参照されたい。図７は、本考案を外側に緩めるときの着用状態の概要図である。さらに図８は、図７のＴ−Ｔ断面の概要図である。さらに図９は、図８におけるＥ部の部分拡大概要図である。着用者は実際の需要に従って、土台１４の左、右両側における２つの長い非弾性テープ２０の調整留め具２３により、アンダーバストを外側に緩めることもできる。すなわちリラックスの効果を達成することができる。緩めた後は、ワイヤ１３の安定度に影響を及ぼさない他、胸を寄せる効果を上昇させることもでき、美しい胸の形が持続する。
【００１２】
上記をまとめると、本考案はリラックスブラジャー構造を提供する。本考案者は実際に作製して繰り返し測定を行い、本考案が予期した機能、効果に確実に達することができることを証明した。さらに現在、一般に未だ知られていない最初の製品であり、産業上の利用価値を有する。実際に、実用新案権の実用性および進歩性が成立する重要な要点に符合しており、特許法の規定に基づいて、実用新案権を出願する。
【符号の説明】
【００１３】
１０  ブラジャー
１１  カップ
１２  ワイヤループ
１３  ワイヤ
１４  土台
１５  サイドベルト
１６  サイドボーン
１７  ボーンループ
１８  肩紐
１９  ゴム紐
２０  長い非弾性テープ
２１  短い非弾性テープ
２２  留め具
２３  調整留め具
【図１】
0003211412.tif 000003
【図２】
0003211412.tif 000004
【図３】
0003211412.tif 000005
【図４】
0003211412.tif 000006
【図５】
0003211412.tif 000007
【図６】
0003211412.tif 000008
【図７】
0003211412.tif 000009
【図８】
0003211412.tif 000010
【図９】
0003211412.tif 000011